(57)【要約】【課題】ハンダ付けせずにアンプを安定して設置固定でき、振動に起因するノイズの発生も抑制できる、車両ウィンドウ用アンプ装置を提供する。【解決手段】樹脂製のウィンドウＷに設けられたアンテナＡで受信した信号を増幅するアンプ１０と、アンプ１０を設置固定するブラケット２０とを有する。ウィンドウＷとブラケット２０とは、弾性を有する熱可塑性の高分子材料からなる接合剤Ｓを介して、アウトサート成形により接合されている。接合剤Ｓは、アウトサート成形時にブラケット２０のベース部２０ａに形成された貫通孔２０ｅから溢れ出した状態の突起部Ｓｔを形成しており、アンプ１０は突起部Ｓｔによって常時押圧付勢されている。接合剤Ｓとしては、軟質樹脂や熱可塑性エラストマーを使用できる。貫通孔２０ｅ及び突起部Ｓｔは、ブラケット２０のベース部２０ａに対向状に立設された２つの係合片の少なくとも内側に設けられている。【選択図】図４
2014050007.tif 000002
【特許請求の範囲】
【請求項１】
車両ウィンドウに設けられたアンテナへ電気的に接続され、該アンテナで受信した信号を増幅するアンプと、該アンプを車両ウィンドウへ設置固定するブラケットとを有する車両ウィンドウ用アンプ装置であって、
前記車両ウィンドウは合成樹脂製であり、
前記車両ウィンドウと前記ブラケットとを金型内に予め設置した状態で、該車両ウィンドウとブラケットとの間に、硬化後に弾性を有する熱可塑性の高分子材料を射出して、前記車両ウィンドウと前記ブラケットとをアウトサート成形により接合し、
前記ブラケットのベース部には、貫通孔が形成されており、
前記高分子材料は、前記アウトサート成形時に前記ベース部の貫通孔から溢れ出した状態で突起部を形成しており、
前記アンプは、前記ブラケットに装着した際に前記突起部によって常時押圧付勢されており、
前記アンプから延在する金属端子と前記アンテナとがハンダ付けされていないことを特徴とする、車両ウィンドウ用アンプ装置。
【請求項２】
前記高分子材料が軟質樹脂又は熱可塑性エラストマーである、請求項１に記載の車両ウィンドウ用アンプ装置。
【請求項３】
前記ブラケットには、前記ベース部から対向状に立設する少なくとも２つの係合片を有し、
前記アンプは、前記２つの係合片の間に係合されており、
前記貫通孔及び突起部が、前記２つの係合片の内側に形成されている、請求項１または請求項２に記載の車両ウィンドウ用アンプ装置。
【発明の詳細な説明】
【技術分野】
【０００１】
本発明は、車両ウィンドウに設けられたアンテナへ電気的に接続され、該アンテナで受信した信号を増幅するアンプと、該アンプを車両ウィンドウへ設置固定するブラケットとを有する車両ウィンドウ用アンプ装置に関する。
【背景技術】
【０００２】
この種のアンプ装置として、例えば下記特許文献１がある。特許文献１では、ガラス製の車両ウィンドウに対して、アンプを設置している。具体的には、ガラスウィンドウ用アンプは、金属端子と、該金属端子に一体的に取付けられるブラケットと、該ブラケットに取付けられ金属端子からアンテナで受信した信号が送られる本体部とからなる。金属端子は、中央がアンテナから離れる方向に曲げられブリッジ部とされている導電板と、該導電板の底面に半円状に設けられアンテナに接触する接触凸部とを有する。そのうえで、接触凸部とアンテナとをハンダ付けすることで、ブラケットをガラスウィンドウへ設置固定している。
【先行技術文献】
【特許文献】
【０００３】
【特許文献１】特開２０１１−９７１８７号公報
【発明の概要】
【発明が解決しようとする課題】
【０００４】
しかしながら、近年では、車両軽量化などの観点から、透明樹脂製のウィンドウも開発されている。この場合、樹脂ウィンドウ上でアンテナと金属端子とをハンダ付けすると、その熱によって樹脂ウィンドウが溶融してしまうという問題が生じる。そのため、樹脂ウィンドウにおいては、金属端子とアンテナとのハンダ付けによるブラケットの設置固定ができない。
【０００５】
しかし、アンプの金属端子とアンテナとを安定して接続固定することができないと、従来のガラス製ウィンドウよりも車両走行時などにおける振動の影響を受け、アンプがガタつき、金属端子とアンテナとの通電状態が不安定となることによって電気信号にノイズが発生し易くなる。
【０００６】
そこで、本発明は上記課題を解決するものであって、ハンダ付けせずにアンプを安定して設置固定することができ、振動に起因するノイズの発生も抑制することができる、車両ウィンドウ用アンプ装置を提供することを目的とする。
【課題を解決するための手段】
【０００７】
そのための手段として、本発明は、車両ウィンドウに設けられたアンテナへ電気的に接続され、該アンテナで受信した信号を増幅するアンプと、該アンプを車両ウィンドウへ設置固定するブラケットとを有する車両ウィンドウ用アンプ装置であって、前記車両ウィンドウは合成樹脂製であり、前記車両ウィンドウと前記ブラケットとを金型内に予め設置した状態で、該車両ウィンドウとブラケットとの間に、硬化後に弾性を有する熱可塑性の高分子材料を射出して、前記車両ウィンドウと前記ブラケットとをアウトサート成形により接合している。このとき、前記ブラケットのベース部には貫通孔が形成されており、前記高分子材料は、前記アウトサート成形時に前記ベース部の貫通孔から溢れ出した状態で突起部を形成している。そして、前記アンプは前記ブラケットに装着した際に前記突起部によって常時押圧付勢されており、前記アンプから延在する金属端子と前記アンテナとがハンダ付けされていないことを特徴とする。
【０００８】
このように、車両ウィンドウとブラケットとをアウトサート形成により接合したうえでブラケットにアンプを装着しているだけなので、樹脂製の車両ウィンドウを溶融させることなくアンプを設置固定することができる。このとき、アンプは突起部によって常時押圧付勢されているので、アンプを安定して固定することができる。しかも、突起部は弾性を有するので、車両走行時等の振動によるアンプのガタつきを突起部が吸収する。これにより、金属端子とアンテナとをハンダ付けせずに安定した接触状態を保つことができ、延いては振動に起因するノイズの発生を抑制することができる。また、突起部の熱収縮による保持力によって、ブラケットの設置安定性も向上する。
【０００９】
なお、本発明における「弾性」とは、振動に伴うアンプのガタを吸収できる程度の変形性（柔軟性）を有することを意味し、一般的に「弾性体」と称されるような高い弾性率（弾性係数）を有する物である必要は無い。このような弾性を有する前記高分子材料としては、軟質樹脂又は熱可塑性エラストマーを使用できる。
【００１０】
前記ブラケットは、前記ベース部から対向状に立設する少なくとも２つの係合片を有し、前記アンプは、前記２つの係合片の間に係合されている。したがって、前記貫通孔及び突起部は、前記２つの係合片の内側に少なくとも形成する必要がある。
【発明の効果】
【００１１】
本発明によれば、ハンダ付けせずにアンプを安定して設置固定することができ、振動に起因する電気信号のノイズの発生も抑制することができる、
【図面の簡単な説明】
【００１２】
【図１】アンプ装置の斜視図である。
【図２】アンプの分解斜視図である。
【図３】ベース部の斜視図である。
【図４】図１のIV−IV線断面図である。
【図５】接着工程の説明図である。
【発明を実施するための形態】
【００１３】
以下に、適宜図面を参照しながら本発明の代表的な実施形態について説明する。図１に示すように、本実施形態のアンプ１０は、ブラケット２０を介して自動車を代表とする車両のウィンドウＷに設置される。車両用のウィンドウＷとしては、アンテナＡを配すことができる限り、フロントウィンドウ、サイドウィンドウ、又はリアウィンドウのいずれでもよい。アンテナＡは、金属からなる導線がウィンドウＷの表面に所定パターンでプリント配線されている。アンテナＡは、ＡＭラジオ用、ＦＭラジオ用、テレビ用、カーナビゲーションシステム用など、任意の電子機器用のアンテナとして使用される。ウィンドウＷは、ポリカーボネート樹脂（ＰＣ）やアクリル樹脂などの透明樹脂からなる。
【００１４】
図２に示すように、アンプ１０は、アタッシュケース状のケース１１と、アンテナＡに接触する金属端子１２と、該金属端子１２を介してアンテナＡから受信した信号を増幅する増幅回路１３と、該増幅回路１３によって増幅された信号を車室内のオーディオ等へ送信する電気ケーブル１４と、電気ケーブル１４を増幅回路１３へ固定するケーブルブラケット１５とを備える。
【００１５】
ケース１１は、ポリプロピレン（ＰＰ）などの合成樹脂からなる射出成形品であって、アンダーケース１１ａとアッパケース１１ｂとがヒンジ部１１ｃを介して開閉自在に一体的に連続している。ケース１１を閉じたとき、アッパケース１１ｂに設けられたフック１１ｄがアンダーケース１１ａに設けられた係合突起１１ｅと係合することで、ロックされる。
【００１６】
金属端子１２は三角枠状を呈し、その頂部がアンダーケース１１ａの底面に形成された長孔１１ｆを介してケース１１外に突出している。そのうえで、金属端子１２の先端がアンテナＡと接触することで、アンプ１０とアンテナＡとが電気的に接続される（図４参照）。なお、金属端子１２及びアンテナＡは、＋極用と−極用との２つ存在している。また、金属端子１２の底辺部には、爪部１２ａが外方に延在するように一体的に形成されている。当該爪部１２ａが、それぞれ増幅回路１３に設けられた係合孔１３ａに係合されることで、金属端子１２が増幅回路１３へ固定される。
【００１７】
増幅回路１３は、２つの位置決め孔１３ｂがアンダーケース１１ａ内に設けられた位置決めピン１１ｇに挿嵌されることで、ケース１１内へ安定して設置される。なお、図示していないが、増幅回路１３には所定形状の導電パターンがプリント配線されており、金属端子１２及び電気ケーブル１４と電気的に接続されている。電気ケーブル１４は、開口１１ｈを介してケース１１の内外へ連続している（図１参照）。
【００１８】
ブラケット２０もポリプロピレン（ＰＰ）等の合成樹脂からなる射出成形品であって、ウィンドウＷに接着されるベース部２０ａと、該ベース部２０ａから対向状に立設する２つの係合片２０ｂとを有する。係合片２０ｂには係合孔２０ｃが設けられており、当該係合孔２０ｃにケース１１の両側面に形成された係合突起１１ｋが係合されることで、図１，４に示すように、ブラケット２０に対してアンプ１０が固定される。このとき、アンプ１０は２つの係合片２０ｂの間においてベース部２０ａから所定量浮上した状態となっている。ベース部２０ａの中央部には切欠部２０ｄを有し、当該切欠部２０ｄ内までアンテナＡの先端部が延在している。これにより、アンプ１０をブラケット２０へ固定すると、必然的に金属端子１２がアンテナＡと接触することになる。また、係合片２０ｂの内外には、それぞれ１つずつ貫通孔２０ｅを有する。符号２０ｆは、係合片２０ｂ補強用のリブである。
【００１９】
そのうえで、図４に示すように、ブラケット２０は弾性を有する高分子材料からなる接合剤Ｓを介してウィンドウＷに対へ接合されている。したがって、アンプ１０から延在する金属端子１２とアンテナＡとはハンダ付けする必要は無い。接合剤Ｓとしては、硬化後にある程度の弾性を有する、ウィンドウＷ及びブラケット２０よりも融点の低い熱可塑性材料を用いる。このような接合剤Ｓとしては、軟質樹脂や熱可塑性エラストマーを挙げることができる。軟質樹脂としては、例えば塩化ビニル樹脂、エチレン酢酸ビニル樹脂、酢酸ビニル樹脂、シリコーン樹脂、オレフィン樹脂などを挙げることができる。また、熱可塑性エラストマーとしては、スチレン系熱可塑性エラストマー、オレフィン系熱可塑性エラストマー、エステル系熱可塑性エラストマー、ウレタン系熱可塑性エラストマー、アミド系熱可塑性エラストマー、アクリル系熱可塑エラストマーなどを挙げることができる。
【００２０】
接合剤Ｓは、ブラケット２０に設けられた各貫通孔２０ｅを介してベース部２０ａの裏面から表面へ溢れ出した状態で突起部Ｓｔを形成している。このように、貫通孔２０ｅから溢れ出したように形成された突起部Ｓｔは、ボルトと同じような形状となっていることで、ブラケット２０の保持力が大きく向上する。しかも、平面方向で係合片２０ｂの内外双方に存在することで、突起部Ｓｔによる保持力はより大きくなっている。したがって、振動等によりアンプ１０に上下方向（図４基準）の力が作用すると、係合片２０ｂには左右方向（図４基準）の応力が作用することでベース部２０ａがガタつくことになるが、内外の突起部Ｓｔによって強固に保持される。また、突起部Ｓｔの厚み（高さ）は、ベース部２０ａとアンプ１０との距離よりも僅かに大きい。これにより、アンプ１０は突起部Ｓｔによって常時上方へ押圧付勢され、安定して固定される。しかも、突起部Ｓｔは弾性を有するので、車両走行時等の振動によるアンプ１０のガタつきを突起部Ｓｔによって吸収することができる。これにより、金属端子１２とアンテナＡとをハンダ付けせずに安定した接触状態を保つことができ、延いては振動に起因する電気信号のノイズの発生を抑制することができる。
【００２１】
次に、図５を参照しながら、ブラケット２０の設置方法について説明する。基本的には、ウィンドウＷとブラケット２０との間に溶融状態の接合剤Ｓを射出し、アウトサート成形することで突起部Ｓｔを形成しながらウィンドウＷ上にブラケット２０を接合することができる。詳しくは、図５（ａ）に示すように、上型３０と下型３１とには、それぞれ接合面にウィンドウ設置用の凹み３２とブラケット設置用の凹み３３とが形成されている。そして、図５（ｂ）に示すように、ウィンドウ設置用の凹み３２とブラケット設置用の凹み３３に、それぞれ別途形成したウィンドウＷとブラケット２０を予めセットする。なお、金型内には、接合剤Ｓの突起部Ｓｔ用のキャビティも形成されている。また、ウィンドウＷの表面には、接合剤Ｓとの接着性をより高めるため、必要に応じて接着剤層や両面テープを配しておくこともできる。次いで、図５（ｃ）に示すように、上型３０と下型３１とを型締めしたうで、ランナ３５を通して溶融状態の接合剤Ｓをキャビティ内に射出する。射出された溶融接合剤Ｓは、ブラケット２０の貫通孔２０ｅを通して流入していく。そして、接合剤Ｓを固化することで、ウィンドウＷとブラケット２０との接合と同時に、突起部Ｓｔも形成することができる。なお、突起部Ｓｔにおいては、溶融接合剤Ｓが固化する際の熱収縮によってもブラケット２０が強固に保持される。最後に、これらを金型から取り出して、アンプ１０をブラケット２０へ係合することで設置できる。
【００２２】
（変形例）
ブラケット２０の安定性は若干低下するが、突起部Ｓｔは、対向する２つの係合片２０ｂの内側に少なくとも形成してあれば、両係合片２０ｂの外側には必ずしも設けなくてもよい。また、アンプ１０をブラケット２０へ係合固定する係合片は、上記アンプ１０の両側方の係合片２０ｂの他に、アンプ１０の前後いずれか一方又は双方にも設けることができる。
【符号の説明】
【００２３】
１０  アンプ
１１  ケース
１１ｋ  係合突起
１２  金属端子
１２ａ  爪部
１３  増幅回路
１４  電気ケーブル
２０  ブラケット
２０ａ  ベース部
２０ｂ  係合片
２０ｃ  係合孔
２０ｅ  貫通孔
Ａ  アンテナ
Ｓ  接合剤
Ｓｔ  突起部
Ｗ  ウィンドウ
【図１】
2014050007.tif 000003
【図２】
2014050007.tif 000004
【図３】
2014050007.tif 000005
【図４】
2014050007.tif 000006
【図５】
2014050007.tif 000007